(57)【要約】      （修正有）【課題】第二竿部の先端部の小さな竿栓を置き忘れたり、あるいは紛失したりしてしまうことがない釣り竿を提供する。【解決手段】釣竿組み立て体は、複数の部分から構成される竿２０を含んでいる。大径基部の先端部内に、小径部８０、８２、８４、８６が入れ子式に畳み込まれ、かつ、入れ子式に伸び出て来るように、上記複数の部分は、共に、入れ子式に組み立てられる。上記基部は、把持部５０内に滑り込んで、かつ、滑り出て来ることが可能であり、把持部５０は、把持部５０内に、上記基部の基端部５４を受け入れ、かつ、取り外し可能に保持する基部固定装置によって特徴付けられる。【選択図】図２
2015112108.tif 000002
【特許請求の範囲】
【請求項１】
入れ子式に組み立てられた複数の部分から構成される竿であり、把持部から伸びる一つ、または、それ以上の大径の基端部内に、小径の先端部が入れ子式に畳み込まれ、かつ、入れ子式に伸び出て来る竿を含んだタイプの釣竿組み立て体であって、このような釣竿装置は、また、上記小径部が、上記大径部内に入れ子式に折り畳まれたとき、上記大径部の先端部に取り外し可能に取り付けるための大きさと形状になっている竿栓と、上記竿栓を、取り外し可能に受け入れ、かつ、保持する大きさと形状になっている、取り外し可能な栓内の収納穴を特徴とする取り外し可能な把持栓とを有する釣竿組み立て体。
【請求項２】
入れ子式に組み立てられた複数の部分から構成される竿であり、大径基部の先端部内に、小径部が入れ子式に畳み込まれ、かつ、入れ子式に伸び出て来る竿を含んだタイプの釣竿組み立て体であって、上記大径基部は、把持部内に滑り込んで、かつ、滑り出て来ることが可能であり、上記把持部は、上記把持部内に、上記基部の先端部を受け入れ、かつ、取り外し可能に保持する基部固定装置によって特徴付けられている、釣竿組み立て体。
【請求項３】
上記把持部内に設けられ、上記基部の上記基端部を受け入れるための充分に大きな直径の穴を有するカップリング挿入部と、上記カップリング挿入部内に設けられ、上記カップリング挿入部に関し、上記基部の長手方向の移動を降伏可能に阻止するように、上記基部の上記基端部と係合する係合機構とを、上記基部固定装置は有する請求項２に記載の釣竿組み立て体。
【請求項４】
上記カップリング挿入部を横切って伸びることによって、上記基部と接触する少なくとも一つの止め螺子を、上記係合機構は含んでいる請求項３に記載の釣竿組み立て体。
【請求項５】
上記止め螺子は、半径方向に調節可能である請求項４に記載の釣竿組み立て体。
【請求項６】
釣竿は、把持栓付き把持部を有し、竿部は異なった直径を有し、小径を有する竿部は、上記小径を有する竿部よりも大径を有する竿部の少なくとも一つ内に入れ子式に折り畳み可能、かつ、入れ子式に伸縮可能であるように配置される、釣竿の竿部を交互に保持及び伸長する方法であって、
上記大径を有する竿部の先端開口に、上記小径を有する竿部を入れ子式に折り畳み、  上記大径を有する竿部の上記先端開口にきっちりと嵌る大きさと形状になっている周面を有する竿栓で、上記大径を有する竿部の上記先端開口に栓をし、
上記大径を有する竿部の上記先端開口から、上記竿栓を取り外すことによって、上記竿部を伸長し、
上記把持栓に上記竿栓を取り付け、そして、
上記大径を有する竿部から、上記小径を有する竿部を入れ子式に引き出す方法。
【請求項７】
上記把持栓は収納穴を有し、上記収納穴は、上記収納穴にきっちりと嵌る上記竿栓を受け入れるような大きさ及び形状になっており、上記把持栓への上記竿栓の取り付けは、上記把持栓の収納穴に上記竿栓をきっちりと挿入することを含む、請求項６に記載の方法。
【請求項８】
釣竿の複数の部分を把持部に収納する方法であって、
上記複数の部分を基部内に入れ子式に折り畳むとともに、上記基部を上記把持部内に長手方向に折り畳み、そして、
上記把持部に関して、上記基部が長手方向に移動するのを降伏可能に阻止する係合機構に、上記把持部内の基部を係合させる方法。
【発明の詳細な説明】
【技術分野】
【０００１】
本発明は、一般に、釣竿、具体的には、釣竿用の栓収納機構に関する。
【背景技術】
【０００２】
限定はされないが、例えば、全部または一部が、基部内に折り畳めることが可能な、入れ子式に組み立てられた複数の竿部を有する釣竿があり、これは把持部を有していてもいなくても良いが、釣りに使用する際に入れ子式に伸ばすことが可能である。このような釣竿は、また、竿栓を有し、この竿栓は、上記竿の伸長可能部を、上記基部内に入れ子式に折り畳む際に、各部の長さに応じて、上記竿の基部、または、より大きな直径を持つ伸長可能部のどちらかの先端部に、ぴったりと嵌るように挿入される大きさと形状になっている。このような竿栓の目的は、（ｉ）上記基部、または、上記大径部の先端部を塞いで、収納用の上記基部または大径部内に小径部を受け入れ、保持すること、（ｉｉ）上記竿を使用しないとき、持ち運ぶとき、または、収納している間、上記基部の先端部、または、上記大径部の先端部を保護すること、及び、（ｉｉｉ）上記竿を使用しないとき、持ち運ぶとき、または、収納している間、塵や他の汚染物質が、上記基部または大径部に入り込むのを防止することである。もちろん、上記竿栓は上記基部の先端部にきっちりと嵌って、上記釣竿を使用しないとき、持ち運ぶとき、または、収納している間、所定位置に収まっているが、釣りに使用する際に、ユーザが、上記竿栓を容易に取り外して、上記釣竿の伸長可能部を入れ子式に伸長するのを阻止するほどきっちりとはしていない。
【０００３】
上記関連技術と限定に関する例は、例示するためであって限定する意図はない。上記関連技術の他の限定は、本明細書を一読し、図面を見ることにより、当業者には明らかになるであろう。
【発明の概要】
【０００４】
ここで用いられ、本明細書の一部を構成する添付図面は、幾つかの、唯一または限定的ではない、実施形態例、及び／または、特徴例を示す。ここで開示する実施形態及び図面は、限定的ではなく、例示的に考慮されることを意図している。図中、
【図面の簡単な説明】
【０００５】
【図１】例えば、使用しないとき、持ち運ぶとき、または、収納するときの入れ子式に折り畳まれた状態にある釣竿例の斜視図であって、竿の伸長可能な大径部のうちの一つの大径部の先端部内に、保護用竿栓が挿入されている。
【図２】図１に示す上記釣竿例に類似した斜視図であるが、上記竿の伸長可能な大径部の先端部から上記保護用竿栓を取り外してあり、上記竿の伸長可能な小径部の幾つかが、上記伸長可能な大径部の先端部から、わずかに突出しているのを示している。
【図３】図１に示す釣竿例の把持部の基端部を示す分解斜視図であって、カップリング挿入部、把持栓、及び、竿栓を含んでいる。
【図４】図３に類似した斜視図であるが、上記カップリング挿入部は上記把持部の基端部内に取り付けられ、上記竿栓は上記把持栓内に取り付けられている。
【図５】図３及び４に類似した斜視図であるが、上記把持栓は上記カップリング挿入部内に取り付けられ、上記竿栓は上記把持栓内に取り付けられている。
【図６】図１に示す、使用されずに、入れ子式に折り畳まれた状態の釣竿例の側立面図であり、上記保護用竿栓は、上記竿の基部の先端部に挿入されている。
【図７】図１に示す釣竿例をばらばらにした側立面図であって、完全に伸長された、使用状態の釣竿を示し、上記竿栓は上記把持栓内に収納されている。
【図８】図６の断面線８−８にほぼ沿った上記釣竿例の断面図である。
【図９】図８に類似した断面図であるが、上記釣竿部は、図７に示すように、完全に伸長された使用状態にある。
【図１０Ａ】図８に示すように、上記釣竿例の基部の先端部内に取り付けられた竿栓の拡大断面図である。
【図１０Ｂ】図８に示すように、上記釣竿例の把持部の基端部内に取り付けられた把持栓の拡大断面図である。
【図１０Ｃ】図９に示すように、上記把持部の基端部の把持栓内に取り付けられた竿栓の拡大断面図であるが、上記釣竿例を部分的に伸長した状態で使用するために、上記釣竿例の基部の基端部は、上記把持部の基端部の、カップリング挿入部内に保持されている。
【図１０Ｄ】図９に示すように、上記把持部の基端部の把持栓内に取り付けられた竿栓の拡大断面図であるが、上記釣竿例を完全に伸長するために、上記釣竿例の基部の基端部は、上記カップリング挿入部から引き出されている。
【図１１】図８の断面線１１―１１にほぼ沿った上記釣竿例の拡大、横断面図であって、竿部は折り畳んだ状態にある。
【図１２】図９の断面線１２―１２にほぼ沿った上記釣竿例の拡大、横断面図であって、竿部は伸長された状態にある。
【図１３】上記基部と上記把持部が互いに移動できないように、上記基部の基端部上にモールドされるか、または、取り付けられた把持部を有する、他の釣竿例の斜視図であり、上記把持部の基端部の把持栓内に取り付けられた竿栓を示している。
【図１４】図１３に示す釣竿例の断面図であり、不使用状態にある入れ子式に伸長可能な竿部が、竿の基部内に折り畳まれて収納されている。
【発明を実施するための形態】
【０００６】
図１に、入れ子式に伸長可能で、かつ、折り畳み可能な釣竿組み立て体１００が、例示的に、折り畳まれて、使用しない状態で示されていて、竿栓１０は、竿２０の大径部１４の先端部１２内に取り付けられているが、これは、例えば、（ｉ）上記部分１４の先端部１２を塞いで、収納用の上記大径部１４内に、折り畳まれた小径部（図１には図示せず）を保持するため、（ｉｉ）上記釣竿組み立て体１００を使用しないとき、持ち運ぶとき、または、収納している間、上記大径部１４の先端部１２を損傷から保護するため、及び、（ｉｉｉ）上記釣竿組み立て体１００を使用しないとき、持ち運ぶとき、または、収納している間、塵や他の汚染物質が、上記部分１４に入り込むのを防止するために取り付けられている。この釣竿組み立て体１００の例では、竿栓１０が取り付けられた竿の大径部１４は二番目に大きな大径部であり、基部３０より直径がわずかに小さい。基部３０は、把持部５０が取り付けられるスリーブ４０内に入れ子式に折り畳み可能であり、二番目に大きい大径部１４は、基部３０に入れ子式に折り畳み可能である。スリーブ４０は、把持部５０の先端部５２から軸方向に突出している。ループ状のコード１６、または、他の取っ手が竿栓１０に設けられていて、ユーザが竿栓１０を掴み、引っ張ることにより、第二竿部１４の先端部１２から取り出すのを可能にしている。把持栓６０は、把持部５０の基端部５４に取り付けられ、竿２０の折り畳まれた部分を保持するが、これは、後でより詳細に説明する。
【０００７】
図２において、竿栓１０は第二竿部１４の先端部１２から取り外されて示され、その幾つかの中間部であって、さらに先にある竿の小径部、例えば、竿部８０、８２、８４、及び、８６は、第二竿部１４の先端部１２から部分的に出現している。紐８８の小片は、最小径で、最先端部にある竿部８６の先端部から伸びていて、これは、また、竿の最先端部８６と共に、収納用の第二竿部１４内に折り畳まれる。釣竿組み立て体１００を釣りに用いるとき、釣り糸を紐８８に取り付けることが可能である。上記したように、竿２０は、全ての他の竿部を収納するのに充分長い基部３０で形成することが可能でり、第二竿部１４を含み、この場合、竿栓１０は、基部３０の先端部にきっちりと嵌るような大きさと形状にすることが可能である。また、全長、折り畳んだときの好ましい長さ、及び、竿部の直径寸法によっては、他の、任意の都合のよい数の入れ子式の竿部も可能であり、これは、当業者には、本説明を読んで発明を理解すれば、理解されるであろう。このような選択肢と変形例を念頭において、図１から１２に示す釣竿組み立て体１００の例に基づいて説明を行うが、本発明はこの例に限定されるものではないと理解する。
【０００８】
図２に示すように、釣りをするために、第二部分１４の先端部から竿栓１０を取り外すと、竿栓は小さく、また、はりすを作ったり、毛針を取り付けたり、他の道具を運んだり、木の枝を動かしたりといった作業等を行うだけでなく、釣竿組み立て体１００を持ち運ぶといった作業で、釣り人は手一杯なため、極めて簡単に紛失するか、または、置き忘れる可能性がある。竿栓１０をポケット、または、容器に入れるのも不便である。したがって、釣竿組み立て体１００の例における把持栓６０には、基端部表面６３内に伸びる収納穴６２が設けられていて、これは、図３、４、及び５に示すように、竿栓１０をきっちりと受け入れて、保持するような大きさと形状になっており、釣竿１００の使用中に、竿栓１０を収納するのに便利である。収納穴６２の内径は、第二竿部１４の先端部１２の内径とほぼ同じであり、竿栓１０を第二竿部１４内に嵌め込むときと同様に、収納穴６２内に嵌め込む竿栓の嵌め合いは、釣りをしている間、上記竿栓を把持栓６０内にしっかりと保持するのに充分な程度にきっちりとしているが、その中間部であって、先の方にある竿部８０、８２、８４、及び８６を第二竿部１４内に入れ子式に折り畳むときに、竿栓１０を第二竿部１４の先端部１２内に戻したい場合、上記竿栓を取り外すのが困難になるぐらいきっちりとはしていない。
【０００９】
図３から５に示すように、把持栓６０は、把持部５０の基端部５４のカップリング挿入部９０内に、取り外し可能に取り付けることができる。上述のように、スリーブ４０は、図４と５に示すように、把持部５０（図１及び２）の先端部５２から、全部ではないが、把持部５０を通って、基端部５４に向かって長手方向に伸びている。カップリング挿入部９０は、把持部５０の基端部５４から、把持部５０内のより大径の穴５６内に長手方向に伸びて、スリーブ４０の基端部４２に隣接する。カップリング挿入部９０の内径は、スリーブ４０の基端部４２の内径と合致するため、後でさらに詳しく説明するように、基部３０（図１及び２）は、スリーブ４０を通って、カップリング挿入部９０内に伸びることが可能である。図４と５に示すように、複数の止め螺子９２はカップリング挿入部９０を横切って伸び、これも後でさらに詳しく説明するように、摺動可能ではあるが、きっちりと、基部３０（図４と５には図示せず）の基端部を受け止めるために径方向に調節可能である。把持栓６０は外側螺子部６５とニップル６７を有し、上記外側螺子部は、カップリング挿入部９０の内側螺子部９３にねじ込まれ、上記ニップルは、図５に示すように、把持栓５０がカップリング挿入部９０内にねじ込まれるとき、カップリング挿入部９０の穴９５内に伸びる。もちろん、栓１０のための収納穴６２を設けた、他の把持栓構造を用いてもよい。例えば、螺子山の代わりに、上記把持栓は、上記カップリング挿入部に滑らかに、かつ、きっちりとはめ込まれる嵌込み部、または、ある種の爪、または、弾性変形可能なラッチ、鍔部、リム、溝を有することが可能であり、若しくは、このような構造物を組み合わせたものを設けて、上記把持栓を上記カップリング挿入部内に、取り外し可能に保持することが可能である。また、図１０Ｂから１０Ｄに最もはっきりと示すように、基部３０の基端部３２を受け止めて、かつ、弾性的に保持するために、ニップル６７が設けられている。
【００１０】
図６と８は釣竿組み立て体１００の例を示しているが、上述したように、第二竿部１４は基部３０とスリーブ４０内に入れ子式に折り畳まれ、中間部、および、先の方にある竿部８０、８２、８４、８６は、竿の基部３０と第二竿部１５内に入れ子式に折り畳まれて収納されている。この不使用状態では、図１０Ａの拡大断面図に最もはっきりと示し、また、上述したように、竿栓１０は第二竿部１４の先端部１２内に配置される。また、把持栓６０はカップリング挿入部９０（図８参照）内にねじ込まれ、収納された竿部８０、８２、８４、８６が、スリーブ４０と把持部５０の基端部から落ちるのを防止している。竿栓１０を竿部１４の先端部１２内に押し込むときに、竿栓１０の横向きスロット１８は（図１０に最もはっきりと示す）、竿栓１０がある程度弾性変形するのを容易にする。
【００１１】
図８から分かるように、スリーブ４０、竿の基部３０、第二竿部１４、および他の中間部であって、先の方にある竿部８０、８２、８４、８６は、それぞれの大径の基端断面部から、それぞれの小径先端断面部に向かってテーパ状になっていて、互いに入れ子式に伸ばすことが可能であるが、せいぜい各部の全長までである。つまり、各竿部の基端断面部は、それを直接取り囲む竿部の先端断面部より大きい。したがって、各竿部の基端部を、それに直接隣接して取り囲む竿部の先端部から引き抜くことはできない。その結果、竿２０は、各竿部の長さによって決まる全長まで入れ子式に伸長することが可能であり、図９、１１、及び１２に示すように、各竿部の大径基端部が、それに直接隣接して取り囲む竿部の小径先端部に嵌り込むまで、各竿部は、それに直接隣接して取り囲む竿部から引き出すことが可能である。図１２の断面図では、竿２０は伸びており、竿部８０の基端部が、それに直接隣接して取り囲む竿部１４の先端部に嵌り込んでいる関係にあることが示されている。
【００１２】
図１０Ｂに最もはっきりと示すように、竿部３０、１４、８０、８２、８４、８６の基部は、スリーブ４０の基端部内において、例えば、スリーブ４０の基端部４２に隣接して入れ子になり、図６と図８の不使用状態に折り畳んだとき、カップリング挿入部９０内に収まっている。弾性端パッド６９は、この不使用状態にある竿部の先端部と接触するためのニップル６７の端部のクッションとなる。また、図１０Ｂに示すように、基部３０の先端部３２は、把持栓６０のニップル６７の周面から半径方向外方に伸びる隆起部６６に押圧することが可能である。上記隆起部は、他の便利な構造物、例えば、竿の基部３０の基端部３２にきっちりと嵌る大きさの弾性伸縮Ｏリングで形成してもよく、これは、竿の基部３０が長手方向に移動して、スリーブ４０から抜けるのを降伏可能に阻止する。カップリング挿入部９０内の基部固定機構９１は、基部３０の基端部３２と係合して、上記基部が長手方向に移動して、スリーブ４０から抜けるのを降伏可能に阻止する。図１０Ａ、１０Ｂ、及び１０Ｃに例として示す固定機構９１は、カップリング挿入部９０を横切って伸びる止め螺子９２を含み、止め螺子９２は、重力、または、竿１００を投げる動作の間の遠心力によって、竿部３０がスリーブ４０から滑り落ちるのを阻止するために、竿部３０の長手方向の移動に十分な抵抗を与えることに望ましい程度に、竿の基部３０の周面に接触し且つ、必要であれば半径方向内向きの力を加えるように半径方向内向きに調節することができるが、それでも、竿の基部３０の基端部３２をニップル６７から引き離すためにユーザが加える長手方向の力に対して降伏可能である。この機構は、ニップル６７と隆起部６６を用いることにより、基部３０の長手方向の移動に対する阻止力を高め、図１０Ｃに示すように、竿の基部３０を、スリーブ４０内の折り畳み位置にしっかりと保持するのと同時に、さらに先にある竿部１４、８０、８２、８４、８６は伸ばした状態にすることにより、釣竿組み立て体１００を部分的に伸ばして使用するのを可能にする。この状態では、竿２０の全長は、竿の基部３０をスリーブ４０から完全に伸ばしたときよりも短く、これにより、全体がより短い釣竿組み立て体１００を提供することになり、これは、例えば、木の枝が張り出した狭い小川や類似の状況で釣りをするときに、有用かも知れない。注目すべきことは、この、竿が短く伸びた状態で、図１０Ｃに示し、かつ、上述したように、竿栓１０は、把持栓６０の収納穴６２に取り付けられることである。そして、ユーザが竿２２の全長を使用したいときは、図１０Ｄに矢印３４で示す長手方向に竿の基部３０を引っ張って、ニップル６７、および、止め螺子９２から竿の基部３０の先端部３２を引き離し、竿の基部３０を完全に伸ばす。
【００１３】
他の例である、釣竿組み立て体２００を図１３と図１４に示す。ここでは、把持部２５０は直接に竿の基部２３０上に、モールドされるか、あるいは別の方法で形成又は固定され、把持栓６０は、把持部２５０の基端部２５２内に直接ねじ込まれる。他の点では、釣竿組み立て体２００は、上述した釣竿組み立て体１００の例とほぼ同じ構成要素を有している。例えば、釣竿組み立て体２００は、同じ竿部、例えば、竿部３０、１５、８０、８２、８４、８６、及び、紐８８か、または、上述したように、他の希望する数の竿部を有していてもよい。図１４に示すように、中間部であって、さらに先にある竿部が第二竿部４０内に折り畳まれたとき、第二竿部１４（または、他の任意の竿部）の先端部に、同じか、または、類似の竿栓１０が配置され、また、上述したように、竿部を使用状態にまで伸長したとき、把持部２５０の基端部２５２の把持栓６０は、竿栓１０を収納するための収納穴６２を有している。
【００１４】
上述した詳細、構成要素、及び構造は、本発明の実施例であるが、他の構造及び構成要素を用いて、本発明を実施することも可能であり、これは、竿栓と、釣竿の竿部を伸長して使用する際に、上記竿栓を収納するための収納穴を有する把持栓とを有する釣竿組み立て体を備えている。本発明の他の特徴は、上述の説明と、この説明の一部をなす添付図１乃至１４から明瞭に理解することが可能である。
【００１５】
上述の説明は、本発明の原理を示す例示であると考えられる。さらに、当業者は数多くの変形例や変更が容易に思いつくので、本発明を、上述した具体的な構造やプロセスに限定するのを望むものではない。したがって、本発明の範囲に入る、すべての適切な変形例、及び、相当物を実施することが可能である。本明細書で使用している単語「備えている」と「含んでいる」は、説明した特徴、数、構成要素、または、ステップの存在を明記することを意図しているが、これらは、一つ、または、それ以上の特徴、数、構成要素、ステップ、または、グループの存在、または、追加を排除するものではない。
【図１】
2015112108.tif 000003
【図２】
2015112108.tif 000004
【図３】
2015112108.tif 000005
【図４】
2015112108.tif 000006
【図５】
2015112108.tif 000007
【図６】
2015112108.tif 000008
【図７】
2015112108.tif 000009
【図８】
2015112108.tif 000010
【図９】
2015112108.tif 000011
【図１０Ａ】
2015112108.tif 000012
【図１０Ｂ】
2015112108.tif 000013
【図１０Ｃ】
2015112108.tif 000014
【図１０Ｄ】
2015112108.tif 000015
【図１１】
2015112108.tif 000016
【図１２】
2015112108.tif 000017
【図１３】
2015112108.tif 000018
【図１４】
2015112108.tif 000019
【外国語明細書】
FISHING ROD WITH PLUG STOWAGE AND BASE SECTION RETAINER
BACKGROUND OF THE INVENTION
Field of the Invention:
[0001] The present invention relates generally to fishing rods, and more specifically to a plug stowage feature for fishing rods.
Description of the Prior Art:
[0002] Some fishing rods, for example, but not for limitation, have a plurality of telescopically assembled rod sections that can be collapsed wholly or partially into a base section, which may or may not include a handle, and which can be telescopically extended for use in fishing.  Some such fishing rods also have a rod plug that is sized and shaped for insertion into, and to fit snugly in, the distal end of either the base section of the rod or one of the larger diameter, extendable sections, depending on the length of the sections, when the extendable sections of the rod are telescopically collapsed into the base section.  The purposes for such rod plugs may include:  (i) to close the distal end of the base section or the other larger section to capture and retain the smaller diameter sections in the base section or the larger diameter section for storage; (ii) to protect the distal end of the base section or the larger diameter section from damage during periods of non-use, transportation, or storage of the rod; and (iii) to prevent debris or other contaminants from entering the base section or the larger diameter section during periods of non-use, transport, or storage of the rod.  Of course, the fit of the rod plug in the distal end of the base section is snug enough to remain in place during such periods of non-use, transportation, and storage of the fishing rod, but not so snug as to prevent a user from easily removing the rod plug in order to telescopically extend the extendable section of the fishing rod for use in fishing.
[0003] The foregoing examples of the related art and limitations related therewith are intended to be illustrative and not exclusive.  Other limitations of the related art will become apparent to persons skilled in the art upon a reading of the specification and a study of the drawings.
BRIEF DESCRIPTION OF THE DRAWINGS
[0004] The accompanying drawings, which are incorporated herein and form a part of the specification, illustrate some, but not the only or exclusive, example embodiments and/or features.  It is intended that the embodiments and figures disclosed herein are to be considered illustrative rather than limiting.  In the drawings:
[0005] Figure 1 is an isometric view of an example fishing rod in non-use, telescopically collapsed configuration, e.g., for non-use, transportation, or storage, with the protective rod plug inserted into the distal end of one of the larger diameter extendable sections of the rod;
[0006] Figure 2 is a similar isometric view of the example fishing rod in Figure 1, but with the protective rod plug removed from the distal end of the larger diameter extendable section of the rod and illustrating several of the smaller diameter, extendable sections of the rod protruding slightly from the distal end of the larger diameter, extendable section;
[0007] Figure 3 is an exploded isometric view of the proximal end of the handle portion of the example fishing rod in Figure 1, including the coupling insert, the handle plug, and the rod plug;
[0008] Figure 4 is an isometric view similar to Figure 3, but with the coupling insert mounted in the proximal end of the handle and with the rod plug mounted in the handle plug;
[0009] Figure 5 is an isometric view similar to Figures 3 and 4, but with the handle plug mounted in the coupling insert and with the rod plug mounted in the handle plug;
[0010] Figure 6 is a side elevation view of the example fishing rod in Figure 1 in the non-use, telescopically collapsed configuration with the protective rod plug inserted into the distal end of the base section of the rod;
[0011] Figure 7 is a fragmented, side elevation view of the example fishing rod in Figure 1 illustrating the fully extended, use configuration of the fishing rod with the rod plug stowed in the handle plug;
[0012] Figure 8 is a cross-sectional view of the example fishing rod taken substantially along section line 8-8 in Figure 6;
[0013] Figure 9 is a cross-sectional view similar to Figure 8, but with the fishing rod sections in the fully extended, use configuration as shown in Figure 7;
[0014] Figure 10A is an enlarged cross-sectional view of the rod plug mounted in the distal end of the base section of the example fishing rod as illustrated in Figure 8;
[0015] Figure 10B is an enlarged cross-sectional view of the handle plug mounted in the proximal end of the handle of the example fishing rod as illustrated in Figure 8
[0016] Figure 10C is an enlarged cross-sectional view of the rod plug mounted in the handle plug in the proximal end of the handle as illustrated in Figure 9, but with the proximal end of the base section of the example fishing rod retained in the coupling insert in the proximal end of the handle for use of the example fishing rod in a partially extended configuration;
[0017] Figure 10D is an enlarged cross-sectional view of the rod plug mounted in the handle plug in the proximal end of the handle as illustrated in Figure 9, but with the proximal end of the base section of the example fishing rod pulled out of the coupling insert for full extension of the of the example fishing rod;
[0018] Figure 11 is an enlarged, transverse cross-sectional view of the example fishing rod taken substantially along the section line 11-11 in Figure 8 with the rod sections in the collapsed configuration;
[0019] Figure 12 is an enlarged, transverse cross-sectional view of the example fishing rod taken substantially along the section line 12-12 in Figure 9 with the rod sections in the extended configuration;
[0020] Figure 13 is an isometric view of another example fishing rod that has a handle molded or mounted on the proximal end of the base section such that the base section and the handle are immovable in relation to each other and illustrating the rod plug mounted in a handle plug in the proximal end of the handle; and
[0021] Figure 14 is a cross-section view of the example fishing rod in Figure 13 with the telescopically extendable rod sections in a non-use configuration collapsed and nested in the base rod section. 
DETAILED DESCRIPTION OF EXAMPLE EMBODIMENTS
[0022] An example telescopically extendable and collapsible fishing rod assembly 100 is illustrated in Figure 1 in a collapsed, non-use configuration with a rod plug 10 mounted in the distal end 12 of a larger diameter section 14 of the rod 20, where it is mounted to, for example:  (i) close the distal end 12 of that section 14 to capture and retain the collapsed, smaller diameter sections, (not seen in Figure 1) inside that larger diameter section 14 for storage; (ii) protect the distal end 12 of that larger diameter section 14 from damage during periods of non-use, transportation, or storage of the fishing rod assembly 100; and (iii) prevent debris or other contaminants from entering that section 14 during periods of non-use, transport, or storage of the fishing rod assembly 100.  In this example fishing rod assembly rod 100, the larger diameter rod section 14 in which the rod plug 10 is mounted is the second largest diameter section, just slightly smaller in diameter than the base section 30.  The base section 30 is telescopically collapsible into a sleeve 40 on which a handle 50 is mounted, and the second largest diameter section 14 is telescopically collapsible into the base section 30.  The sleeve 40 protrudes axially from the distal end 52 of the handle 50.  A looped cord 16 or other handle is provided on the rod plug 10 to accommodate a user grasping and pulling on the rod plug 10 to remove it from the distal end 12 of the second rod section 14.  A handle plug 60 is mounted in the proximal end 54 of the handle 50 to retain the collapsed sections of the rod 20, as will be described in more detail below.
[0023] In Figure 2, the rod plug 10 is shown removed from the distal end 12 of the second rod section 14, and several of the intermediate and more distal, smaller diameter rod sections, e.g., rod sections 80, 82, 84, and 86, are shown partially emerging from the distal end 12 of the second rod section 14.  A short piece of string 88 extends from the distal end of the smallest diameter, most distal, rod section 86, which also collapses into the second rod section 14 for storage along with the most distal rod section 86.  Fishing line can be attached to the string 88 when the fishing rod assembly100 is used for fishing.  As indicated above, the rod 20 could be made with a base section 30 that is long enough to receive all of the other rod sections, including the second rod section 14, in which case, the rod plug 10 could be sized and shaped to fit snugly into the distal end of the base section 30.  Also, there can be any convenient number of other telescoping rod sections, depending on the overall length and the collapsed length desired and the diameter dimensions of the rod sections, as will be understood by persons skilled in the art once they have read this description and understand the invention.  With such options and variations in mind, this description will proceed based on the example fishing rod assembly 100 shown in Figures 1-12, but with the understanding that the invention is not limited to only that example.
[0024] When the rod plug 10 is removed from the distal end of the second section 14, as shown in Figure 2, for fishing, it can be lost or misplaced quite easily, because it is small, and a fisherman's hands are often quite occupied in carrying the fishing rod assembly 100 as well as in making leaders, attaching flies, carrying other equipment, moving tree branches, etc.  Even placing the rod plug 10 in pockets or containers is inconvenient.  Therefore, the handle plug 60 in this example fishing rod assembly 100 is provided with a storage hole 62 extending into its proximal surface 63 that is sized and shaped to snugly receive and retain the rod plug 10, as shown in Figures 3, 4, and 5, for convenient stowage of the rod plug 10 while the fishing rod 100 is in use.  The inside diameter of the storage hole 62 is substantially the same as the inside diameter of the distal end 12 of the second rod section 14, so, like the fit of the rod plug 10 in the second rod section 14, the fit of the rod plug in the storage hole 62 is snug enough to retain the rod plug securely in the handle plug 60 during fishing, but not so snug as to be difficult to remove when it is desired to put the rod plug 10 back into the distal end 12 of the second rod section 14 when the intermediate and distal rod sections 80, 82, 84, 86 are telescopically collapsed into the second rod section 14.
[0025] As shown in Figures 3-5, the handle plug 60 is removably mountable in a coupling insert 90 in the proximal end 54 of the handle 50.  As mentioned above, a sleeve 40 extends longitudinally through the handle 50 from the distal end 52 of the handle 50 (Figures 1 and 2) toward, but not all the way to, the proximal end 54, as shown in Figures 4 and 5.  The coupling insert 90 extends from the proximal end 54 of the handle 50 longitudinally into a larger diameter bore 56 in the handle 50 into abutment with the proximal end 42 of the sleeve 40.  The interior diameter of the coupling insert 90 matches the interior diameter of the proximal end 42 of the sleeve 40, so that the base section 30 (Figures 1 and 2) can extend through the sleeve 40 and into the coupling insert 90 as will be explained in more detail below.  A plurality of set screws 92 extend transversely through the coupling insert 90 as shown in Figures 4 and 5 and can be adjusted radially in order to slidably, but snugly receive the proximal end of the base section 30 (not seen in Figures 4 and 5) as will also be explained in more detail below.  The handle plug 60 has an exterior threaded portion 65, which screws into an inside threaded portion 93 of the coupling insert 90, and a nipple 67 that extends into the bore 95 of the coupling insert 90 when the handle plug 50 is screwed into the coupling insert 90 as shown in Figure 5.  Of course, other handle plug configurations could also be used and provided with the storage hole 62 for the plug 10.  For example, instead of threads, the handle plug could have a smooth, snug fit in the coupling insert or some type of detent or resiliently yieldable latch, collar, rim, or groove or some combination of such structures could be provided to releasably retain the handle plug in the coupling insert.  Also, the nipple 67 is provided to receive and yieldably retain the proximal end 32 of the base section 30 as best seen in Figures 10B-10D. 
[0026] .Figures 6 and 8 illustrate the example fishing rod assembly 100 with the second rod section 14 telescopically collapsed into the base section 30 and sleeve 40 and with the intermediate and distal rod sections 80, 82, 84, 86 telescopically collapsed and nested inside the base rod section 30 and second rod section 15 as explained above.  In that non-use configuration, the rod plug 10 is positioned in the distal end 12 of the second rod section 14 as best seen in the enlarged cross-section view in Figure 10A and as also explained above.  The handle plug 60 is also screwed into the coupling insert 90 (see Figure 8) to prevent the nested rod sections 80, 82, 84, 86 from falling out of the proximal ends of the sleeve 40 and handle 50.  A transverse slot 18 in the rod plug 10 (best seen in Figure 10) facilitates some resilient, elastic deformation of the rod plug 10 as it is forced into the distal end 12 of the rod section 14. 
[0027] The sleeve 40, base rod section 30, second rod section 14, and other intermediate and distal rod sections 80, 82, 84, 86 are tapered from their respective larger proximal cross-sections to their respective smaller distal cross-sections, as can be seen Figure 8, so that they can be telescopically extended in relation to each other, but only to the full length of each respective section and no more.  In other words, the proximal cross-section of each rod section is larger than the distal cross-section of the rod section that immediately surrounds it.  Therefore, the proximal end of each rod section cannot be pulled through the distal end of the immediately adjacent, surrounding rod segment.  Consequently, the rod 20 can be telescopically extended to a full length as determined by the lengths of the respective rod sections that can be pulled out of the immediately adjacent, surrounding rod section before the larger proximal end of each respective rod section binds with the smaller distal end of the immediately adjacent, surrounding rod section, as shown in Figures 9, 11, and 12.  In the cross-section view in Figure 12, the rod 20 is extended, and the proximal end of rod section 80 is shown in binding relation to the distal end of the immediately adjacent, surrounding rod section 14. 
[0028] As best seen in Figure 10B, the proximal ends of the rod sections 30, 14, 80, 82, 84, 86 nest in the proximal portion of the sleeve 40, e.g., adjacent to the proximal end 42 of the sleeve 40, and in the coupling insert 90 when they are collapsed to the non-use configuration of Figures 6 and 8.  A resilient end pad 69 cushions the end of the nipple 67 for contact with the distal ends of the rod sections in this non-use configuration.  As also shown in Figure 10B, the distal end 32 of the base section 30 can be pushed over a ridge 66 extending radially outward from the peripheral surface of the nipple 67 of the handle plug 60.  The ridge may be provided by any convenient structure, for example, a resiliently elastic O-ring that is sized to fit snugly in the proximal end 32 of the base rod section 30, which yieldably inhibits longitudinal movement of the base rod section 30 out of the sleeve 40.  A base section retainer feature 91 in the coupling insert 90 engages the proximal end 32 of the base section 30 to yieldably inhibit longitudinal movement of the base section out of the sleeve 40.  The example retainer feature 91 shown in Figures 10B, 10C, and 10D includes the set screws 92 that extend transversely through the coupling insert 90, which can be adjusted radially inward to contact and, if desired, apply a radially inward directed force on the peripheral surface of the base rod section 30 to the extent desired for providing enough resistance to longitudinal movement of the rod section 30 to inhibit the rod section 30 from sliding out of the sleeve 40 by gravity or due to centrifugal force during a casting motion of the rod 100, but still yieldable to a longitudinal force applied by a user to pull the proximal end 32 of the base rod section 30 off and away from the nipple 67.  This feature enhances the inhibition of longitudinal movement of the base section 30 by the nipple 67 and ridge 66 and enables the fishing rod assembly 100 to be used in a partially extended configuration with the base rod section 30 securely retained in the collapsed position in the sleeve 40, as illustrated in Figure 10C, while the more distal rod sections 14, 80, 82, 84, 86 are extended.  In that configuration, the overall length of the rod 20 is shorter than if the base rod section 30 is fully extended out of the sleeve 40, thus providing a shorter overall fishing rod assembly 100, which may be useful, for example, when fishing narrow streams with overhanging tree branches and similar situations.  Note that in this shorter extended rod configuration, the rod plug 10 is mounted in the storage hole 62 of the handle plug 60 as shown in Figure 10C and explained above.  Then, when the user wants to use the full length of the rod 22, he or she can pull on the base rod section 30 in the longitudinal direction indicated by the arrow 34 in Figure 10D to dislodge the distal end 32 of the base rod section 30 from the nipple 67 and set screw 92 to fully extend the base rod section 30. 
[0029] Another example fishing rod assembly 200 is shown in Figures 13 and 14, where a handle 250 is molded or otherwise formed or fixed directly onto the base rod section 230 and the handle plug 60 is screwed directly into the proximal end 252 of the handle 250.  Otherwise, the fishing rod assembly 200 has much the same components as the example fishing rod assembly 100 described above.  For example, the fishing rod assembly 200 may have the same rod sections, e.g., rod sections 30, 15, 80, 82, 84, 86, and string 88, or any other desired number of rod sections as explained above.  As shown in Figure 14, the same or similar rod plug 10 is provided in the distal end of the second rod section 14 (or any other rod section) when the intermediate and more distal rod sections are collapsed into the second rod section 40, and a handle plug 60 in the proximal end 252 of the handle 250 has the storage hole 62 for stowing the rod plug 10 when the rod sections are extended to the use configuration, as also explained above.
[0030] The details, components, and structures described above are examples of implementations of the invention, but other structures and components could also be used to implement the invention, which comprises a fishing rod assembly with a rod plug and a handle plug with a storage hole for stowing the rod plug when the rod sections of the fishing rod are extended for use.  Other features of the invention can be discerned from the description above and the accompanying drawings in Figures 1  14, which form a part of this description.
[0031] The foregoing description is considered as illustrative of the principles of the invention.  Furthermore, since numerous modifications and changes will readily occur to those skilled in art, it is not desired to limit the invention to the exact construction and process shown and described above.  Accordingly, resort can be made to all suitable modifications and equivalents that fall within the scope of the invention.  The words "comprise," "comprises," "comprising," "include," "including," and "includes" when used in this specification are intended to specify the presence of stated features, integers, components, or steps, but they do not preclude the presence or addition of one or more other features, integers, components, steps, or groups thereof.
CLAIMS
1.     A fishing rod assembly of a type that includes a rod comprised of multiple sections assembled together in a telescopic manner in which smaller diameter, more distal sections collapse telescopically into and extend telescopically out of one or more larger diameter, more proximal sections that extend from a handle, such fishing rod apparatus also having a rod plug sized and shaped for removable mounting in a distal end of the larger diameter section when the smaller diameter sections are telescopically collapsed into the larger diameter section, and a removable handle plug characterized by a storage hole in the removable plug that is sized and shaped to receive and retain the rod plug in a removable manner.
2.     A fishing rod assembly of a type that includes a rod comprised of multiple sections assembled together in a telescopic manner in which smaller diameter sections collapse telescopically into and extend telescopically out of a distal end of a larger diameter base section that is slidable into and out of a handle characterized by a base section retainer apparatus that receives and releaseably holds a proximal end of the base section in the handle.
3.     The fishing rod assembly of claim 2, wherein the base retainer apparatus includes a coupling insert in the handle that has a bore large enough in diameter to receive the proximal end of the base section and at an engagement feature in the coupling insert that engages the proximal end of the base section in a manner that yieldably inhibits longitudinal movement of the base section in relation to the coupling insert.
4.     The fishing rod assembly of claim 3, wherein the engagement feature includes at least one set screw that extends transversely through the coupling insert into contact with the base section.
5.     The fishing rod assembly of claim 4, wherein the set screw is radially adjustable.
6.     A method of alternately securing and deploying rod sections of a fishing rod that has a handle with a handle plug and wherein the rod sections have different diameters and are arranged so that the rod sections with smaller diameters are telescopically collapsible into, and telescopically extendable out of, at least one of the rod sections that has a larger diameter than the rod sections that have smaller diameters, comprising:
collapsing the rod sections that have smaller diameters telescopically into a distal end opening in the rod section that has the larger diameter, and plugging the distal end opening in the rod section that has the larger diameter with a rod plug which has a peripheral surface that is sized and shaped for a snug fit in the distal end opening in the rod section that has the larger diameter; and
deploying the rod sections by removing the rod plug from the distal end opening in the rod section that has the larger diameter, attaching the rod plug to the handle plug, and pulling the rod sections with the smaller diameters telescopically out of the rod section that has the larger diameter.
7.     The method of claim 6, wherein the handle plug has a storage hole which is sized and shaped in a manner that accommodates receipt of the rod plug with a snug fit into the storage hole, and wherein the attaching of the rod plug to the handle plug includes inserting the rod plug snugly into the storage hole in the handle plug.
8.     A method of stowing multiple sections of a fishing rod in a handle, comprising:
telescopically collapsing a plurality of the sections into a base section and collapsing the base section longitudinally into the handle; and
engaging the base section in the handle with an engagement feature that yieldably inhibits longitudinal movement of the base section in relation to the handle.
【要約】A fishing rod assembly includes a rod comprised of multiple sections.  The multiple sections assemble together in a telescopic manner in which smaller diameter sections collapse telescopically into and extend telescopically out of a distal end of a larger diameter base section.  The base section is slidable into and out of a handle characterized by a base section retainer apparatus that receives and releaseably holds a proximal end of the base section in the handle.
【選択図】Fig.2
【図１】
2015112108.tif 000020
【図２】
2015112108.tif 000021
【図３】
2015112108.tif 000022
【図４】
2015112108.tif 000023
【図５】
2015112108.tif 000024
【図６】
2015112108.tif 000025
【図７】
2015112108.tif 000026
【図８】
2015112108.tif 000027
【図９】
2015112108.tif 000028
【図１０Ａ】
2015112108.tif 000029
【図１０Ｂ】
2015112108.tif 000030
【図１０Ｃ】
2015112108.tif 000031
【図１０Ｄ】
2015112108.tif 000032
【図１１】
2015112108.tif 000033
【図１２】
2015112108.tif 000034
【図１３】
2015112108.tif 000035
【図１４】
2015112108.tif 000036